【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
動力源と運動制御機構とを備えており、複数の缶エンドへとコーティングを塗布するように構成されたスプレーアセンブリのスプレーヘッドであって、
取付部材と、
前記取付部材に可動に結合された第１の端部と、前記第１の端部の反対側に且つ前記第１の端部に対して遠位に位置する第２の端部とを備える回転部材と、
前記第２の端部の付近において前記回転部材に結合された複数のスプレーガンを備えているガンアセンブリと、
前記運動制御機構によって引き起こされる所定の運動を前記運動制御機構から前記回転部材へと伝えるように構成された伝達機構と、
を備えており、
前記複数のスプレーガンの各々が、前記所定の運動に従って前記複数の缶エンドにコーティングを塗布するように構成されているスプレーヘッド。
【請求項２】
前記回転部材は、回転シャフトであり、前記回転シャフトの前記第２の端部は、第１の取付部と、前記第１の取付部の反対側に位置する第２の取付部とを備えており、前記複数のスプレーガンは、前記第１の取付部に結合された第１のスプレーガンと、前記第２の取付部に結合された第２のスプレーガンである、請求項１に記載のスプレーヘッド。
【請求項３】
前記回転シャフトは、長手方向の回転軸を有しており、前記ガンアセンブリは、幾つかのスペーサをさらに備えており、前記幾つかのスペーサの各々が、前記第１及び第２の取付部のうちの一方と、前記第１及び第２のスプレーガンのうちの対応する一方との間に配置されることで、そのスプレーガンを前記長手方向の回転軸についてオフセットさせる、請求項２に記載のスプレーヘッド。
【請求項４】
前記ガンアセンブリは、第１のコネクタを備える第１の供給管と、第２のコネクタを備える第２の供給管と、単一の電気コネクタを備える単一の電導体とをさらに備えており、前記第１のコネクタ、前記第２のコネクタ、及び前記単一の電気コネクタは全て、前記回転シャフトの前記第１の端部に配置されている、請求項２に記載のスプレーヘッド。
【請求項５】
前記所定の運動が、以下の一連のステップ、
（ａ）第１の方向に前記複数のスプレーガンを加速して、噴霧サイクルを開始するステップと、
（ｂ）第１の缶エンドが噴き付けされる際に、前記第１の方向に一定の所定の回転速度で前記複数のスプレーガンを回転するステップと、
（ｃ）前記第１の方向について前記複数のスプレーガンを減速し、完全に停止させるステップと、
（ｄ）逆の第２の方向に前記複数のスプレーガンを加速させるステップと、
（ｅ）別の第２の缶エンドが噴き付けされる際に、前記第２の方向に一定の所定の回転速度で前記複数のスプレーガンを回転させるステップと、
（ｆ）前記第２の方向について前記複数のスプレーガンを減速して完全に停止させ、前記噴霧サイクルを終了させるステップと、
を含む往復運動である、請求項１に記載のスプレーヘッド。
【請求項６】
前記複数のスプレーガンは、毎分約２５０回の左右往復を行う、請求項５に記載のスプレーヘッド。
【請求項７】
前記複数のスプレーガンは、中心軸を中心にして回転し、前記複数のスプレーガンのうちの第１のスプレーガンは、前記中心軸に対して０度の位置で前記噴霧サイクルを開始し、前記中心軸に対して０度から約４５度まで前記第１の方向に加速し、約４５度から約２２５度まで前記第１の方向に前記一定の所定の回転速度で回転し、約２２５度から約２７０度まで減速し、約２７０度において停止し、約２７０度から約２２５度まで前記第２の逆方向に加速し、約２２５度から約４５度まで前記第２の方向に前記一定の所定の回転速度で回転し、約４５度から０度まで減速し、約０度の位置に停止して前記噴霧サイクルを終える、請求項５に記載のスプレーヘッド。
【請求項８】
前記複数のスプレーガンは、０ｒｐｍから約５００ｒｐｍまで加速し、前記一定の所定の回転速度は、約５００ｒｐｍであり、前記複数のスプレーガンは、約５００ｒｐｍから０ｒｐｍまで減速する、請求項５に記載のスプレーヘッド。
【請求項９】
複数の缶エンドにコーティングを塗布するように構成された機械のためのスプレーアセンブリであって、
動力源と、
運動制御機構と、
少なくとも１つのスプレーヘッドと、
を備えており、
前記少なくとも１つのスプレーヘッドは、
取付部材と、
前記取付部材に可動に結合された第１の端部と、前記第１の端部の反対側に且つ前記第１の端部に対して遠位に位置する第２の端部とを備える回転部材と、
前記第２の端部の付近において前記回転部材に結合された複数のスプレーガンを備えているガンアセンブリと、
前記運動制御機構によって引き起こされる所定の運動を前記運動制御機構から前記回転部材へと伝える伝達機構と、
を備えており、
前記複数のスプレーガンの各々は、前記所定の運動に従って前記複数の缶エンドにコーティングを塗布するように構成されているスプレーアセンブリ。
【請求項１０】
前記回転部材は、回転シャフトであり、前記回転シャフトは、長手方向の回転軸を有しており、前記回転シャフトの前記第２の端部は、第１の取付部と、前記第１の取付部の反対側に位置する第２の取付部とを備えており、前記複数のスプレーガンは、前記第１の取付部に結合された第１のスプレーガンと、前記第２の取付部に結合された第２のスプレーガンであり、前記ガンアセンブリは、幾つかのスペーサをさらに備え、前記幾つかのスペーサの各々が、前記第１及び第２の取付部のうちの一方と、前記第１及び第２のスプレーガンのうちの対応する一方との間に配置されることで、そのスプレーガンを前記長手方向の回転軸に対してオフセットさせる、請求項９に記載のスプレーアセンブリ。
【請求項１１】
前記第１及び第２のスプレーガンの各々が、弓形の経路で移動して、前記複数の缶エンドの対応する弓形の部分にコーティングを塗布するように構成されており、各々の缶エンドは、ある直径を有しており、前記幾つかのスペーサは、前記複数のスプレーガンの前記弓形の噴き付け経路のサイズを、前記複数の缶エンドの直径に一致するように調節するように構成されている、請求項１０に記載のスプレーアセンブリ。
【請求項１２】
前記所定の運動が、以下の一連のステップ、
（ａ）第１の方向に前記複数のスプレーガンを加速して、噴霧サイクルを開始するステップと、
（ｂ）第１の缶エンドが噴き付けされる際に、前記第１の方向に一定の所定の回転速度で前記複数のスプレーガンを回転するステップと、
（ｃ）前記第１の方向について前記複数のスプレーガンを減速し、完全に停止させるステップと、
（ｄ）逆の第２の方向に前記複数のスプレーガンを加速させるステップと、
（ｅ）別の第２の缶エンドが噴き付けされる際に、前記第２の方向に一定の所定の回転速度で前記複数のスプレーガンを回転させるステップと、
（ｆ）前記第２の方向について前記複数のスプレーガンを減速して完全に停止させ、前記噴霧サイクルを終了させるステップと、
を含む往復運動である、請求項９に記載のスプレーアセンブリ。
【請求項１３】
前記運動制御機構は、カムボックスであり、前記カムボックスは、入力シャフトと、出力シャフトと、幾つかのカムとを備えており、前記動力源は、モータであり、前記モータは、前記入力シャフトを動かすことによって前記幾つかのカムを運動させて前記所定の運動を前記出力シャフトの往復運動として生じさせ、前記伝達機構は、幾つかのベルトであり、前記幾つかのベルトは、前記往復運動を前記回転部材に伝えることによって前記複数のスプレーガンを往復させる、請求項９に記載のスプレーアセンブリ。
【請求項１４】
前記少なくとも１つのスプレーヘッドは、複数のスプレーヘッドであり、前記機械は、複数のレーンを備えており、各レーンは、複数の缶エンドを前記少なくとも１つのスプレーヘッドのうちの対応するスプレーヘッドに搬送し、各スプレーヘッドの前記取付部材は、前記複数のレーンのうちの対応するレーンの付近において、前記機械に結合されるように構成されている、請求項１３に記載のスプレーアセンブリ。
【請求項１５】
複数の缶エンドを運ぶ少なくとも１つのレーンと、
前記複数の缶エンドにコーティングを塗布するためのスプレーアセンブリと、
を備える機械であって、
前記スプレーアセンブリは、
動力源と、
運動制御機構と、
請求項１乃至８の何れかに記載の少なくとも１つのスプレーヘッドと、
を備えている機械。